(57)【要約】【課題】ジョブ実行条件の設定時に設定難易度の高い設定を行ったユーザーに設定内容の登録を促すことによってユーザーの利便性を向上させる。【解決手段】表示入力装置は、操作表示部と、記憶部と、制御部と、を備え、制御部は、設定操作の受け付けを開始させてから、スタート操作を検知するまでの間に、確定操作を検知したとき、確定操作を検知した確定時点でのジョブ実行条件の設定内容を対象設定内容として認識し、対象設定内容と同じ設定内容が高難易度設定内容として記憶部に記憶されていると判断した場合、対象設定内容を登録するよう促すメッセージを操作表示部に表示させる。【選択図】図８
2018079662.tif 000002
【特許請求の範囲】
【請求項１】
ジョブ実行条件を設定する設定操作をユーザーから受け付けるとともに、ジョブをスタートさせるスタート操作をユーザーから受け付ける操作表示部と、
前記操作表示部を介してユーザーが登録を指示した前記ジョブ実行条件の設定内容である登録設定内容を記憶する記憶部と、
前記操作表示部の表示動作の制御および前記操作表示部に対して行われた操作の検知を行うとともに、前記操作表示部が呼出処理の実行指示を受け付けた場合に、前記登録設定内容を呼び出して前記ジョブ実行条件の設定内容を前記登録設定内容と同じ設定内容に変更する処理を前記呼出処理として行う制御部と、を備え、
前記設定操作は、前記ジョブ実行条件としてユーザーが設定した設定項目の設定値を前記設定項目ごとに確定する確定操作を含み、
前記制御部は、前記操作表示部に前記設定操作の受け付けを開始させてから、前記スタート操作を検知するまでの間に、前記確定操作を検知したとき、前記確定操作を検知した時点である確定時点での前記ジョブ実行条件の設定内容を対象設定内容として認識し、前記対象設定内容と同じ設定内容が設定難易度の高い高難易度設定内容として前記記憶部に記憶されているか否かを判断する難易度判断処理を行い、前記対象設定内容と同じ設定内容が前記高難易度設定内容として前記記憶部に記憶されていると判断した場合、前記対象設定内容を登録するよう促すメッセージを前記操作表示部に表示させることを特徴とする表示入力装置。
【請求項２】
前記制御部は、前記対象設定内容と同じ設定内容が前記高難易度設定内容として前記記憶部に記憶されていないと判断した場合、前記操作表示部に前記設定操作の受け付けを開始させてから前記確定時点までに検知した前記設定操作の検知回数である設定操作回数を認識し、前記設定操作回数が予め定められた第１閾値以上であれば、前記対象設定内容を前記高難易度設定内容として前記記憶部に記憶させることを特徴とする請求項１に記載の表示入力装置。
【請求項３】
前記設定操作は、前記設定項目の設定値をデフォルト値に戻すリセット操作を含み、
前記制御部は、前記対象設定内容と同じ設定内容が前記高難易度設定内容として前記記憶部に記憶されていないと判断した場合、前記操作表示部に前記設定操作の受け付けを開始させてから前記確定時点までに検知した前記リセット操作の検知回数であるリセット回数を認識し、前記リセット回数が予め定められた第２閾値以上であれば、前記対象設定内容を前記高難易度設定内容として前記記憶部に記憶させることを特徴とする請求項１に記載の表示入力装置。
【請求項４】
前記制御部は、前記確定操作を検知したとき、前記設定値がデフォルト値から変更された前記設定項目が２つ以上存在しているか否かを判断し、前記設定値がデフォルト値から変更された前記設定項目が２つ以上存在している場合に前記難易度判断処理を行い、前記設定値がデフォルト値から変更された前記設定項目が２つ以上存在していない場合には前記難易度判断処理を行わないことを特徴とする請求項１〜３のいずれか１項に記載の表示入力装置。
【請求項５】
前記制御部は、前記メッセージを前記操作表示部に表示させるとき、前記対象設定内容を登録するか否かの受け付けを前記操作表示部に行わせ、前記対象設定内容を登録する旨を前記操作表示部が受け付けると、前記対象設定内容を前記登録設定内容として前記記憶部に記憶させることを特徴とする請求項１〜４のいずれか１項に記載の表示入力装置。
【請求項６】
請求項１〜５のいずれか１項に記載の表示入力装置を備えることを特徴とする画像形成装置。
【発明の詳細な説明】
【技術分野】
【０００１】
本発明は、ジョブ実行条件の設定を受け付ける表示入力装置およびそれを備えた画像形成装置に関する。
【背景技術】
【０００２】
複合機のような画像形成装置には、表示入力装置（操作パネルなどと称される）が設けられる。表示入力装置は、ジョブの実行に際して、ジョブ実行条件の設定をユーザーから受け付ける。たとえば、コピージョブでは、用紙サイズや画像濃度など種々の設定項目の各設定値を任意に設定することができる。
【０００３】
ここで、表示入力装置には、ジョブ実行条件の設定内容を登録することができるものがある（たとえば、特許文献１参照）。ジョブ実行条件の設定内容を登録した場合には、それ以降のジョブの実行に際してジョブ実行条件を設定するときに、登録済みの設定内容を呼び出すことができる。すなわち、ジョブ実行条件の設定内容を登録済みの設定内容に変更することができる。
【先行技術文献】
【特許文献】
【０００４】
【特許文献１】特開２００６−３０１９６４号公報
【発明の概要】
【発明が解決しようとする課題】
【０００５】
たとえば、ジョブの実行に際して行ったジョブ実行条件の設定が難しかった場合（数多くの設定項目の各設定値をデフォルト値から変更したことによって設定完了までに時間がかかった場合など）に、そのときのジョブ実行条件の設定内容が登録される。
【０００６】
このように設定が難しかったジョブ実行条件の設定内容を登録しておけば、次に同じ設定内容となるようジョブ実行条件を設定したいときに、登録済みの設定内容を呼び出すだけで良くなる（難しい設定を再度行う必要がなくなる）。しかし、ユーザーによっては、ジョブ実行条件の設定内容の登録を行うことができる旨を認識していない場合がある。あるいは、ユーザーによっては、ジョブ実行条件の設定内容の登録を行おうとしていたにもかかわらず登録をし忘れる場合もある。この場合には、難しい設定を再度行わなければならず、ユーザーにとっては煩わしく利便性が悪い。
【０００７】
本発明は、上記課題を解決するためになされたものであり、ジョブ実行条件の設定時に設定難易度の高い設定を行ったユーザーに設定内容の登録を促すことによってユーザーの利便性を向上させることが可能な表示入力装置およびそれを備えた画像形成装置を提供することを目的とする。
【課題を解決するための手段】
【０００８】
上記目的を達成するため、本発明の表示入力装置は、ジョブ実行条件を設定する設定操作をユーザーから受け付けるとともに、ジョブをスタートさせるスタート操作をユーザーから受け付ける操作表示部と、操作表示部を介してユーザーが登録を指示したジョブ実行条件の設定内容である登録設定内容を記憶する記憶部と、操作表示部の表示動作の制御および操作表示部に対して行われた操作の検知を行うとともに、操作表示部が呼出処理の実行指示を受け付けた場合に、登録設定内容を呼び出してジョブ実行条件の設定内容を登録設定内容と同じ設定内容に変更する処理を呼出処理として行う制御部と、を備える。設定操作は、ジョブ実行条件としてユーザーが設定した設定項目の設定値を設定項目ごとに確定する確定操作を含む。制御部は、操作表示部に設定操作の受け付けを開始させてから、スタート操作を検知するまでの間に、確定操作を検知したとき、確定操作を検知した時点である確定時点でのジョブ実行条件の設定内容を対象設定内容として認識し、対象設定内容と同じ設定内容が設定難易度の高い高難易度設定内容として記憶部に記憶されているか否かを判断する難易度判断処理を行い、対象設定内容と同じ設定内容が高難易度設定内容として記憶部に記憶されていると判断した場合、対象設定内容を登録するよう促すメッセージを操作表示部に表示させる。
【０００９】
本発明の構成では、制御部は、確定時点でのジョブ実行条件の設定内容（確定時点までに検知した設定操作によって設定されたジョブ実行条件の設定内容）を対象設定内容として認識し、対象設定内容と同じ設定内容が高難易度設定内容として記憶部に記憶されていれば、対象設定内容を登録するよう促すメッセージを操作表示部に表示させる。これにより、ジョブ実行条件の設定時に設定難易度の高い設定を行ったユーザーに設定内容の登録を促すことができる。そして、このように、ジョブ実行条件の設定内容の登録をユーザーに促すことにより、ジョブ実行条件の設定内容の登録を行うことができる旨をユーザーに認識させることができる。また、ジョブ実行条件の設定内容の登録を行おうとしていたユーザーが登録をし忘れるのを抑制することができる。
【発明の効果】
【００１０】
本発明の構成では、ジョブ実行条件の設定時に設定難易度の高い設定を行ったユーザーに設定内容の登録を促すので、ユーザーの利便性を向上させることができる。
【図面の簡単な説明】
【００１１】
【図１】本発明の一実施形態による操作パネルが装着される複合機の全体構成を示す図
【図２】本発明の一実施形態による操作パネルの構成を示す図
【図３】本発明の一実施形態による操作パネル（複合機）のハードウェア構成を示す図
【図４】本発明の一実施形態による操作パネルに表示される設定画面（コピー機能の設定項目画面）を示す図
【図５】本発明の一実施形態による操作パネルに表示される設定画面（用紙サイズの設定値画面）を示す図
【図６】本発明の一実施形態による操作パネルに表示される設定画面（原稿サイズの設定値画面）を示す図
【図７】本発明の一実施形態による操作パネルに表示される選択画面を示す図
【図８】本発明の一実施形態による操作パネルのパネル制御部により行われる難易度判断処理（第１判断処理）の流れを示すフローチャート
【図９】本発明の一実施形態による操作パネルに表示される報知メッセージを示す図
【図１０】本発明の一実施形態による操作パネルのパネル制御部により行われる難易度判断処理（第２判断処理）の流れを示すフローチャート
【発明を実施するための形態】
【００１２】
以下に、本発明の一実施形態について、コピー機能や送信機能など複数種の機能が搭載された複合機を例にとって説明する。
【００１３】
＜複合機の全体構成＞
図１に示すように、本実施形態の複合機１００（「画像形成装置」に相当）は、画像読取部１０および印刷部２０を備える。画像読取部１０は、原稿Ｄの読み取りを伴うジョブ（コピージョブなど）を実行するジョブ実行部である。印刷部２０は、用紙Ｐへの画像の印刷を伴うジョブ（コピージョブなど）を実行するジョブ実行部である。
【００１４】
画像読取部１０は、原稿Ｄを読み取り原稿Ｄの画像データを生成する。画像読取部１０は、ランプ１１やイメージセンサー１２など原稿Ｄを光学的に読み取るための光学系部材を含む。ランプ１１やイメージセンサー１２などは、画像読取部１０の筐体（読取筐体）の内部に収容される。読取筐体の上面にはコンタクトガラスＣＧが設けられる。そして、画像読取部１０は、コンタクトガラスＣＧ上に載置された原稿Ｄを読み取る。
【００１５】
印刷部２０は、用紙搬送路２０Ｐに沿って用紙Ｐを搬送する。また、印刷部２０は、印刷すべき画像の画像データに基づきトナー像を形成する。そして、印刷部２０は、搬送中の用紙Ｐにトナー像を印刷する。印刷部２０は、用紙カセットに収容された用紙Ｐを用紙搬送路２０Ｐに給紙する給紙部２１、トナー像を形成して用紙Ｐに転写する画像形成部２２、および、用紙Ｐに転写されたトナー像を用紙Ｐに定着させる定着部２３などを含む。
【００１６】
ここで、複合機１００には、図２に示すような操作パネル３０（「表示入力装置」に相当）が設けられる。操作パネル３０は、操作表示部３１を備える。操作表示部３１は、タッチパネルディスプレイ３２およびハードウェアキー３３を含む。
【００１７】
タッチパネルディスプレイ３２は、表面（表示面）上にタッチパネルが配置された液晶表示パネルを含む。タッチパネルディスプレイ３２は、各種設定を受け付けるためのソフトウェアキーやメッセージなどを配した画面を表示する。また、タッチパネルディスプレイ３２は、表示画面に対するタッチ操作をユーザーから受け付ける。
【００１８】
たとえば、タッチパネルディスプレイ３２は、ジョブの実行に際して、ジョブ実行条件の設定を受け付けるための画面を表示し、ジョブ実行条件の設定をユーザーから受け付ける。また、タッチパネルディスプレイ３２は、ユーザーに対して各種報知を行うための画面（メッセージ）を表示する。
【００１９】
ハードウェアキー３３は、ジョブ実行指示をユーザーから受け付けるためのスタートキー３４や、リセット指示をユーザーから受け付けるためのリセットキー３５、複合機１００に搭載された複数種の機能からユーザー指定の機能の選択指示を受け付けるための機能選択キー３６などを含む。機能選択キー３６は複数設けられ、複合機１００に搭載された複数種の機能にそれぞれ対応する。
【００２０】
また、図３に示すように、複合機１００は、本体制御部４０およびネットワーク通信部５０を備える。本体制御部４０は、本体ＣＰＵ４１および本体記憶部４２を含む。本体ＣＰＵ４１は、本体制御用のプログラムおよびデータに基づき動作する。また、本体記憶部４２は、複合機１００の各部の動作を制御するためのプログラムや、画像処理を制御するためのプログラム、各種制御に必要なデータなどを記憶する。そして、本体制御部４０（本体ＣＰＵ４１）は、本体記憶部４２に記憶された制御用のプログラムおよびデータに基づき、画像読取部１０や印刷部２０の各動作を制御したり、画像データに対する画像処理を行ったりする。
【００２１】
本体制御部４０は、操作パネル３０に設けられたパネル制御部３００（「制御部」に相当）に接続される。パネル制御部３００は、パネルＣＰＵ３１０およびパネル記憶部３２０（「記憶部」に相当）を含む。パネルＣＰＵ３１０は、パネル制御用のプログラムおよびデータに基づき動作する。また、パネル記憶部３２０は、ＲＯＭおよびＲＡＭなどの記憶デバイス（メモリー）を含み、パネル制御用のプログラムおよびデータを記憶する。パネル記憶部３２０には、たとえば、タッチパネルディスプレイ３２に画面を表示させるための表示プログラムおよびタッチパネルディスプレイ３２に表示される画面の画面データなどが記憶される。
【００２２】
パネル制御部３００（パネルＣＰＵ３１０）は、本体制御部４０から指示を受け、操作表示部３１（タッチパネルディスプレイ３２）の表示動作を制御する。また、パネル制御部３００は、操作表示部３１に対して行われた操作（タッチパネルディスプレイ３２に対するタッチ操作やハードウェアキー３３に対する押下操作）を検知し、検知結果を本体制御部４０に通知する。
【００２３】
ネットワーク通信部５０は、通信回路やメモリー、通信用コネクターを含む。本体制御部４０は、ネットワーク通信部５０に接続され、ネットワーク通信部５０を介して、外部機器２００と通信する。たとえば、複合機１００には、パーソナルコンピューターやファクシミリ装置などが通信可能に接続される。複合機１００に外部機器２００を通信可能に接続した場合には、複合機１００に格納された画像データ（たとえば、画像読取部１０が読み取った原稿Ｄの画像データ）を外部機器２００に送信する送信ジョブの実行が可能になる。
【００２４】
＜操作パネルの表示画面＞
パネル制御部３００は、複数の機能選択キー３６（図２参照）のいずれかに対して押下操作が行われると、当該押下操作を機能選択操作として検知する。そして、機能選択操作を検知すると、パネル制御部３００は、機能選択操作の操作対象となった機能選択キー３６に対応する機能である選択機能に関する設定の受け付けを操作表示部３１に行わせる。すなわち、操作表示部３１は、選択機能のジョブを実行するときのジョブ実行条件を設定する操作（以下、設定操作と称する）を受け付ける。言い換えると、操作表示部３１は、ジョブ実行条件として設定可能な設定項目の設定値を設定項目ごとに設定する設定操作を受け付ける。
【００２５】
たとえば、コピー機能を選択した場合には、コピー機能に関する設定を行うための設定画面４００（図４〜図６参照）が操作表示部３１（タッチパネルディスプレイ３２）に表示される。これにより、コピー機能に関する設定を行うことができるようになる。なお、図示しないが、コピー機能以外の機能（送信機能など）を選択した場合にも、コピー機能を選択した場合と同様、選択機能に対応する設定画面が操作表示部３１に表示される。
【００２６】
コピー機能が選択された場合、パネル制御部３００は、図４に示すようなコピー機能の設定項目画面４１０を設定画面４００として操作表示部３１に表示させる。設定項目画面４１０は、用紙サイズや濃度などコピー機能のジョブの実行条件として設定可能な複数の設定項目からユーザー指定の設定項目（設定値をデフォルト値から変更したい設定項目）を受け付けるための画面である。設定項目画面４１０では、設定項目を指定する項目指定操作の受け付けが行われる。なお、項目指定操作は設定操作の１つである。
【００２７】
設定項目画面４１０には、複数の設定項目にそれぞれ対応する複数の項目指定キーＫ１０（ソフトウェアキー）が配される。そして、パネル制御部３００は、複数の項目指定キーＫ１０のいずれかに対してタップ操作（タッチパネルディスプレイ３２の表示画面を１回叩くようにタッチするタッチ操作）が行われると、当該タップ操作を項目指定操作として検知する。
【００２８】
パネル制御部３００は、設定項目画面４１０に対する項目指定操作（タップ操作）を検知すると、項目指定操作により指定された設定項目の設定値の設定（デフォルト値からの変更）の受け付けを操作表示部３１に行わせる。このとき、操作表示部３１は、設定値を設定（変更）する値設定操作の受け付けを行う。なお、値設定操作は設定操作の１つである。
【００２９】
一例として、設定項目画面４１０の用紙サイズという項目指定キーＫ１０に対する項目指定操作をパネル制御部３００が検知したとする。この場合、パネル制御部３００は、図５に示すような用紙サイズの設定値画面４２０（４２１）を設定画面４００として操作表示部３１（タッチパネルディスプレイ３２）に表示させる。設定値画面４２１には、設定値として設定可能な複数の用紙サイズにそれぞれ対応する複数の値設定キーＫ２０（Ｋ２１）がソフトウェアキーとして配される。そして、パネル制御部３００は、複数の値設定キーＫ２１のいずれかに対してタップ操作が行われると、当該タップ操作を値設定操作として検知する。
【００３０】
別の例として、設定項目画面４１０の原稿サイズという項目指定キーＫ１０に対する項目指定操作をパネル制御部３００が検知したとする。この場合、パネル制御部３００は、図６に示すような原稿サイズの設定値画面４２０（４２２）を設定画面４００として操作表示部３１に表示させる。設定値画面４２２には、設定値として設定可能な複数の原稿サイズにそれぞれ対応する複数の値設定キーＫ２０（Ｋ２２）がソフトウェアキーとして配される。そして、パネル制御部３００は、複数の値設定キーＫ２２のいずれかに対してタップ操作が行われると、当該タップ操作を値設定操作として検知する。
【００３１】
また、パネル制御部３００は、設定値画面４２０に対する値設定操作で設定（変更）した設定項目の設定値を確定する確定操作の受け付けを操作表示部３１に行わせる。たとえば、設定値画面４２０には、確定キーＤＫ（ソフトウェアキー）が配される。そして、パネル制御部３００は、確定キーＤＫに対してタップ操作が行われると、当該タップ操作を確定操作として検知する。言い換えると、操作表示部３１は、設定項目ごとに確定操作を受け付ける。なお、確定操作は設定操作の１つである。
【００３２】
特に限定されないが、パネル制御部３００は、確定操作を検知すると、設定値画面４２０から設定項目画面４１０への表示画面の遷移を操作表示部３１に行わせる。すなわち、パネル制御部３００は、設定項目画面４１０に対する新たな項目指定操作の受け付けを操作表示部３１に行わせる。たとえば、設定項目画面４１０の複数の項目指定キーＫ１０の各表示領域には、対応する設定項目の現在の設定値を示すテキストが表示される。したがって、或る設定項目に対応する設定値画面４２０で設定値を変更してから表示画面を設定項目画面４１０に切り替えると、当該設定項目に対応する設定項目キーＫ１０の表示領域に変更後の設定値を示すテキストが表示された状態となる。
【００３３】
また、パネル制御部３００は、設定値画面４２０に対する値設定操作で変更した設定項目の設定値をデフォルト値に戻すリセット操作の受け付けを操作表示部３１に行わせる。たとえば、設定値画面４２０には、戻るキーＲＫ（ソフトウェアキー）が配される。そして、パネル制御部３００は、戻るキーＲＫに対してタップ操作が行われると、当該タップ操作をリセット操作として検知する。なお、リセット操作は設定操作の１つである。
【００３４】
パネル制御部３００は、リセット操作を検知したとき、その時点で操作表示部３１に表示させていた設定値画面４２０に対応する設定項目の設定値（値設定操作でデフォルト値から変更された設定値）をデフォルト値に戻す。そして、パネル制御部３００は、設定値画面４２０から設定項目画面４１０への表示画面の遷移を操作表示部３１に行わせる。
【００３５】
また、パネル制御部３００は、ハードウェアキー３３として設けられたリセットキー３５（図２参照）に対する押下操作もリセット操作として検知する。なお、リセットキー３５に対する押下操作（リセット操作）は設定操作の１つである。
【００３６】
パネル制御部３００は、リセットキー３５に対する押下操作を検知したとき、値設定操作で変更された全ての設定項目の設定値をデフォルト値に戻す。そして、パネル制御部３００は、設定値画面４２０から設定項目画面４１０への表示画面の遷移を操作表示部３１に行わせる。この場合には、設定項目画面４１０の全ての設定項目キーＫ１０の表示領域にデフォルト値を示すテキストが表示された状態となる。
【００３７】
なお、図示しないが、パネル制御部３００は、コピー機能以外の機能（送信機能など）が機能選択操作で選択された場合にも、選択機能に対応する設定画面の表示を操作表示部３１に行わせ、設定操作の受け付けを操作表示部３１に行わせる。
【００３８】
＜設定内容の登録＞
複合機１００には、設定操作で設定したジョブ実行条件の設定内容を登録し、当該登録した設定内容である登録設定内容を呼び出す設定呼出機能が搭載される。設定呼出機能を使用すると、ジョブの実行に際して、ジョブ実行条件の設定内容を登録設定内容と同じ設定内容に変更することができる（登録設定内容が呼び出される）。すなわち、設定画面４００に対する設定操作を行わなくても、ユーザー指定の設定項目をユーザー指定の設定値に変更することができる。
【００３９】
操作パネル３０には、設定呼出機能を使用する旨をユーザーから受け付けるための呼出キー３７がハードウェアキー３３として設けられる（図２参照）。また、パネル記憶部３２０には、操作パネル３０を介してユーザーが登録を指示した登録設定内容（設定呼出機能の使用時に呼び出すことができる設定内容）が記憶される。
【００４０】
パネル制御部３００は、呼出キー３７に対する押下操作を検知したとき、図７に示すような選択画面４３０を操作表示部３１（タッチパネルディスプレイ３２）に表示させる。選択画面４３０には、複数の登録設定内容にそれぞれ対応する複数の選択キーＳＫが配される。パネル制御部３００は、複数の選択キーＳＫのいずれかに対するタップ操作を検知すると、当該タップ操作の操作対象となった選択キーＳＫに対応する登録設定内容を呼び出し、ジョブ実行条件の設定内容を登録設定内容と同じ設定内容に一括して変更する呼出処理を行う。
【００４１】
＜難易度判断処理＞
パネル制御部３００は、複合機１００が起動（再起動）したときや、複合機１００がスリープモードから復帰したときに、操作表示部３１に指示し、ジョブ実行条件を設定する設定操作の受け付けを開始させる（操作表示部３１に設定画面４００を表示させる）。あるいは、パネル制御部３００は、原稿Ｄの読み取りを伴うジョブ（コピージョブなど）をスタートさせるスタート操作（スタートキー３４に対する押下操作）を検知した場合、画像読取部１０による原稿Ｄの読み取りが終わった後、操作表示部３１に指示し、設定操作の受け付けを新たに開始させる。
【００４２】
そして、パネル制御部３００は、操作表示部３１が設定操作の受け付け（設定画面４００の表示）を開始してから、操作表示部３１に対するスタート操作（スタートキー３４に対する押下操作）を検知するまでの期間である操作受付期間に、ユーザーが現在設定しているジョブ実行条件の設定内容と同じ設定内容が設定難易度（設定の難しさを示す度合）の高い高難易度設定内容としてパネル記憶部３２０に記憶されているか否かを判断する難易度判断処理を行う。その結果、現在設定中のジョブ実行条件の設定内容と同じ設定内容が高難易度設定内容としてパネル記憶部３２０に記憶されていれば、パネル制御部３００は、現在設定中のジョブ実行条件の設定内容を登録するようユーザーに促すための報知処理を行う。
【００４３】
ここで、パネル制御部３００は、所定条件（第１条件または第２条件）を満たすジョブ実行条件の設定内容を設定難易度の高い高難易度設定内容としてパネル記憶部３２０に記憶させる。そして、パネル制御部３００は、現在設定中のジョブ実行条件の設定内容と同じ設定内容が第１条件を満たす設定内容としてパネル記憶部３２０に記憶されているか否かを判断する第１判断処理、または、現在設定中のジョブ実行条件の設定内容と同じ設定内容が第２条件を満たす設定内容としてパネル記憶部３２０に記憶されているか否かを判断する第２判断処理、を高難易度判断処理として行う。
【００４４】
なお、第１判断処理および第２判断処理のうちパネル制御部３００により行われる難易度判断処理をユーザーが選択（設定）できてもよい。たとえば、当該選択の受け付けは操作パネル３０（操作表示部３１）が行う。
【００４５】
（第１判断処理）
第１判断処理を行うよう設定されている場合、パネル制御部３００は、操作受付期間の期間中に、操作表示部３１に設定操作の受け付けを開始させて以降に行われた設定操作の検知回数（以下、設定操作回数と称する）をカウントする。このとき、パネル制御部３００は、項目指定操作、値設定操作、確定操作およびリセット操作（戻るキーＲＫに対するタップ操作およびリセットキー３５に対する押下操作）の全てをカウント対象とする。なお、パネル制御部３００は、設定操作回数のカウント値をパネル記憶部３２０に記憶させる。
【００４６】
たとえば、コピー機能の設定項目画面４１０（図４参照）が操作表示部３１に表示されて以降（設定操作の受け付けが開始されて以降）、項目指定キーＫ１０に対するタップ操作（項目指定操作）を１回行うことによって表示画面を用紙サイズの設定値画面４２１（図５参照）に切り替え、値設定キーＫ２１に対するタップ操作（値設定操作）を１回行うことによって設定値を設定し、確定キーＤＫに対するタップ操作（確定操作）を１回行うことによって設定値を確定したとする。この場合、パネル制御部３００は、項目指定キーＫ１０に対してタップ操作が行われたときに設定操作回数を１カウントアップし、値設定キーＫ２１に対してタップ操作が行われたときに設定操作回数を１カウントアップし、確定キーＤＫに対してタップ操作が行われたときに設定操作回数を１カウントアップする。したがって、設定操作の受け付けが開始（設定項目画面４１０の表示が開始）されてから用紙サイズの設定値が確定された時点までの設定操作回数は３回である。
【００４７】
その後、続けて、項目指定キーＫ１０に対するタップ操作（項目指定操作）を１回行うことによって表示画面を原稿サイズの設定値画面４２２（図６参照）に切り替え、値設定キーＫ２２に対するタップ操作（値設定操作）を１回行うことによって設定値を設定し、戻るキーＲＫに対するタップ操作（リセット操作）を１回行うことによって原稿サイズの設定値をリセットしたとする。この場合、パネル制御部３００は、項目指定キーＫ１０に対してタップ操作が行われたときに設定操作回数を１カウントアップし、値設定キーＫ２２に対してタップ操作が行われたときに設定操作回数を１カウントアップし、戻るキーＲＫに対してタップ操作が行われたときに設定操作回数を１カウントアップする。したがって、設定操作の受け付けが開始されてから原稿サイズの設定値がリセットされた時点までの設定操作回数は、用紙サイズの設定値が確定された時点までに行われた設定操作の操作回数（３回）と合わせて６回である。
【００４８】
以下、図８に示すフローチャートを参照し、パネル制御部３００により行われる第１判断処理（難易度判断処理）の流れについて説明する。図８に示すフローチャートは、パネル制御部３００が操作表示部３１に設定操作の受け付け（設定画面４００の表示）を開始させたときにスタートする。
【００４９】
ステップＳ１において、パネル制御部３００は、設定操作の受け付けを操作表示部３１に行わせる。すなわち、操作表示部３１は、項目指定操作、値設定操作、確定操作およびリセット操作を受け付ける。そして、ステップＳ２において、パネル制御部３００は、確定操作を検知したか否か（確定キーＤＫに対するタップ操作が行われたか否か）を判断する。その結果、確定操作を検知したとパネル制御部３００が判断した場合には、ステップＳ３に移行する。ステップＳ３に移行すると、パネル制御部３００は、確定操作の操作対象となった設定項目の設定値を値設定操作で設定された設定値（デフォルト値とは異なる設定値）に変更する。
【００５０】
その後、ステップＳ４において、パネル制御部３００は、確定操作を検知した時点（確定操作の操作対象となった設定項目の設定値を値設定操作で設定された設定値に変更した時点）である確定時点でのジョブ実行条件の設定内容を確認する。言い換えると、パネル制御部３００は、複数の設定項目のそれぞれについて、現時点（確定時点）の設定値を確認する。そして、パネル制御部３００は、設定値がデフォルト値から変更された設定項目（デフォルト値とは異なる値が設定値として確定された設定項目）が２つ以上存在しているか否かを判断する。
【００５１】
たとえば、操作表示部３１が設定操作の受け付けを開始して以降、パネル制御部３００が１回目の確定操作を検知したとする。そして、１回目の確定時点（１回目の確定操作を検知した時点）でパネル制御部３００が検知した確定操作によって或る設定項目（第１設定項目と称する）の設定値がデフォルト値から変更されたとする。この場合、今回の確定時点（１回目の確定時点）では、第１設定項目の設定値だけがデフォルト値から変更された状態となっているので、設定値がデフォルト値から変更された設定項目が２つ以上存在していないとパネル制御部３００が判断する。
【００５２】
また、パネル制御部３００が１回目の確定操作を検知して以降、パネル制御部３００がスタート操作を検知するまで（スタートキー３４に対する押下操作が行われるまで）に、パネル制御部３００が２回目の確定操作を検知したとする。そして、２回目の確定時点（２回目の確定操作を検知した時点）でパネル制御部３００が検知した確定操作によって第１設定項目とは別の設定項目（第２設定項目と称する）の設定値がデフォルト値から変更されたとする。この場合、今回の確定時点（２回目の確定時点）では、第１設定項目および第２設定項目の各設定値がデフォルト値から変更された状態となっているので、設定値がデフォルト値から変更された設定項目が２つ以上存在しているとパネル制御部３００が判断する。
【００５３】
ステップＳ４において、設定値がデフォルト値から変更された設定項目が２つ以上存在していないとパネル制御部３００が判断した場合には、ステップＳ５に移行する。なお、ステップＳ２において、確定操作を検知していないとパネル制御部３００が判断した場合にも、ステップＳ５に移行する。
【００５４】
ステップＳ５に移行すると、パネル制御部３００は、スタート操作を検知したか否か（スタートキー３４に対する押下操作が行われたか否か）を判断する。その結果、スタート操作を検知していないとパネル制御部３００が判断した場合には、ステップＳ１に移行する。一方で、スタート操作を検知したとパネル制御部３００が判断した場合には、ステップＳ６に移行する。
【００５５】
ステップＳ６に移行すると、パネル制御部３００は、設定画面４００に対する設定操作で設定されたジョブ実行条件の現時点の設定内容（複数の設定項目の各設定値）を示す設定情報を本体制御部４０に通知する。本体制御部４０は、設定情報の通知を受けると、設定情報に基づきジョブ実行条件を設定し、当該設定した条件で、画像読取部１０および印刷部２０にジョブを実行させる。すなわち、設定画面４００に対する設定操作で設定したジョブ実行条件の設定内容に基づきジョブが実行される。たとえば、設定画面４００としての設定値画面４２１（４２０）で用紙サイズをＢ５サイズに設定した場合には、Ｂ５サイズの用紙Ｐに画像が印刷される。
【００５６】
ステップＳ４において、設定値がデフォルト値から変更された設定項目が２つ以上存在しているとパネル制御部３００が判断した場合には、ステップＳ７に移行する。ステップＳ７に移行すると、パネル制御部３１０は、今回の確定時点でのジョブ実行条件の設定内容（複数の設定項目の各設定値）を対象設定内容として認識する。そして、パネル制御部３００は、対象設定内容と同じ設定内容が高難易度設定内容としてパネル記憶部３２０に記憶されているか否かを判断する難易度判断処理を行う。ここでは、対象設定内容と同じ設定内容が第１条件を満たす設定内容（高難易度設定内容）としてパネル記憶部３２０に記憶されているか否かを判断する第１判断処理が行われる。その結果、対象設定内容と同じ設定内容が高難易度設定内容としてパネル記憶部３２０に記憶されているとパネル制御部３００が判断した場合には、ステップＳ８に移行する。
【００５７】
ステップＳ８に移行すると、パネル制御部３００は、対象設定内容を登録するよう促す報知メッセージＭＧ（図９参照）を操作表示部３１に表示させる。このとき、操作表示部３１は、図９に示すように、報知メッセージＭＧを含むダイアログボックスＤＢをポップアップ表示する。
【００５８】
ダイアログボックスＤＢには、報知メッセージＭＧとして「現在の設定内容の登録を推奨します」といったテキストが配される。また、ダイアログボックスＤＢには、現在の設定内容（対象設定内容）を登録する旨の指示をユーザーから受け付けるための受付キーＡＫ１が配されるとともに、現在の設定内容（対象設定内容）を登録しない旨の指示をユーザーから受け付けるための受付キーＡＫ２が配される。
【００５９】
図８に戻り、操作表示部３１が報知メッセージＭＧを表示すると、ステップＳ９に移行する。ステップＳ９に移行すると、パネル制御部３００は、対象設定内容を登録する旨の指示を操作表示部３１が受け付けたか否か（受付キーＡＫ１に対するタッチ操作を検知したか否か）を判断する。その結果、登録する旨の指示を受け付けた（受付キーＡＫ１に対するタッチ操作を検知した）とパネル制御部３００が判断した場合には、ステップＳ１０に移行し、登録しない旨の指示を受け付けた（受付キーＡＫ２に対するタッチ操作を検知した）とパネル制御部３００が判断した場合には、ステップＳ５に移行する。なお、このとき、パネル制御部３００は、操作表示部３１に指示し、ダイアログボックスＤＢの表示を停止させる（設定画面４００に対する設定操作が可能になる）。
【００６０】
ステップＳ１０に移行すると、パネル制御部３００は、対象設定内容を登録設定内容としてパネル記憶部３２０に記憶させる。これにより、以降にジョブ実行条件の設定を行うときに、現在の設定内容（対象設定内容）を呼び出すことができる。なお、パネル制御部３００は、対象設定内容を登録設定内容としてパネル記憶部３２０に記憶させた場合、対象設定内容と設定内容が同じ高難易度設定内容をパネル制御部３２０から消去する。この後、ステップＳ５に移行する。
【００６１】
ステップＳ７において、対象設定内容と同じ設定内容が高難易度設定内容としてパネル記憶部３２０に記憶されていないとパネル制御部３００が判断した場合には、ステップＳ１１に移行する。ステップＳ１１に移行すると、パネル制御部３００は、操作表示部３１に設定操作の受け付けを開始させてから今回検知した確定操作の検知時点までに検知した設定操作（今回検知した確定操作を含む）の検知回数である設定操作回数を認識する。
【００６２】
また、ステップＳ１２において、パネル制御部３００は、設定操作回数が予め定められた第１閾値以上であるか否かを判断する所定処理（第１所定処理）を行う。たとえば、第１閾値は１０回である。第１所定処理の結果、設定操作回数が第１閾値以上であるとパネル制御部３００が判断した場合には、ステップＳ１３に移行する。
【００６３】
ステップＳ１３に移行すると、パネル制御部３００は、対象設定内容が設定難易度の高い設定内容（第１条件を満たす設定内容）であると判断する。そして、パネル制御部３００は、対象設定内容を高難易度設定内容としてパネル記憶部３２０に記憶させる記憶処理を行う。このときにパネル制御部３００が高難易度設定内容としてパネル記憶部３２０に記憶させた対象設定内容（第１条件を満たす設定内容）は、当該対象設定内容と同じ設定内容が登録設定内容として登録されるまで、パネル記憶部３２０に記憶され続ける。すなわち、ステップＳ７において、対象設定内容と同じ設定内容が高難易度設定内容としてパネル記憶部３２０に記憶されているとパネル制御部３００が判断したということは、従前に、パネル制御部３００が対象設定内容と同じ設定内容を高難易度設定内容（第１条件を満たす設定内容）としてパネル記憶部３２０に記憶させていたということである。
【００６４】
そして、パネル制御部３００による記憶処理の後、ステップＳ１３からステップＳ５に移行する。なお、ステップＳ１２において、設定操作回数が第１閾値未満であるとパネル制御部３００が判断した場合には、ステップＳ５に移行する。この場合には、パネル制御部３００による記憶処理は行われない。
【００６５】
ここで、パネル制御部３００が対象設定内容を高難易度設定内容としてパネル記憶部３２０に記憶させて以降、パネル制御部３００がスタート操作を検知するまでの間に確定操作を再度検知したとする。また、パネル制御部３００が確定操作を再度検知した時点で設定値がデフォルト値から変更された設定項目が２つ以上存在していたとする。すなわち、ステップＳ１３からステップＳ５に移行して以降に、ステップＳ１、Ｓ２、Ｓ３およびＳ４を経てステップＳ７に移行したとする。
【００６６】
この場合、パネル制御部３００は、前回の確定時点以降に行った記憶処理によって高難易度設定内容としてパネル記憶部３２０に記憶させた対象設定内容をパネル記憶部３２０から消去し、今回の確定時点でのジョブ実行条件の設定内容を新たな対象設定内容と認識して難易度判断処理を行う（ステップＳ７の処理を行う）。
【００６７】
なお、図８に示すフローチャートにおいて、ステップＳ４が省略されてもよい。この場合、パネル制御部３００は、確定操作を検知し、確定操作の操作対象となった設定項目の設定値を値設定操作で設定された設定値に変更した後、設定値がデフォルト値から変更された設定項目が２つ以上存在しているか否かにかかわらず（当該設定項目が１つ以下であっても）難易度判断処理を行う。すなわち、ステップＳ３からステップＳ７に移行する。
【００６８】
（第２判断処理）
第２判断処理を行うよう設定されている場合、パネル制御部３００は、操作受付期間の期間中に、操作表示部３１に設定操作の受け付けを開始させて以降に行われた設定操作のうち、リセット操作の検知回数（以下、リセット回数と称する）をカウントする。すなわち、パネル制御部３００は、戻るキーＲＫに対するタップ操作およびリセットキー３５に対する押下操作をカウント対象とする。なお、パネル制御部３００は、リセット回数のカウント値をパネル記憶部３２０に記憶させる。
【００６９】
たとえば、コピー機能の設定項目画面４１０（図４参照）が操作表示部３１に表示されて以降（設定操作の受け付けが開始されて以降）、項目指定キーＫ１０に対するタップ操作（項目指定操作）を１回行うことによって表示画面を用紙サイズの設定値画面４２１（図５参照）に切り替え、値設定キーＫ２１に対するタップ操作（値設定操作）を１回行うことによって設定値を設定し、確定キーＤＫに対するタップ操作（確定操作）を１回行うことによって設定値を確定したとする。この場合、パネル制御部３００は、リセット操作を検知しないので、リセット回数をカウントアップしない。したがって、設定操作の受け付けが開始（設定項目画面４１０の表示が開始）されてから用紙サイズの設定値が確定された時点までのリセット回数は０回である。
【００７０】
その後、続けて、項目指定キーＫ１０に対するタップ操作（項目指定操作）を１回行うことによって表示画面を原稿サイズの設定値画面４２２（図６参照）に切り替え、値設定キーＫ２２に対するタップ操作（値設定操作）を１回行うことによって設定値を設定し、戻るキーＲＫに対するタップ操作（リセット操作）を１回行うことによって原稿サイズの設定値をリセットしたとする。この場合、パネル制御部３００は、戻るキーＲＫに対してタップ操作が行われたときにリセット回数を１カウントアップする。したがって、設定操作の受け付けが開始されてから原稿サイズの設定値がリセットされた時点までのリセット回数は１回である。
【００７１】
以下、図１０に示すフローチャートを参照し、パネル制御部３００により行われる第２判断処理（難易度判断処理）の流れについて説明する。図１０に示すフローチャートは、パネル制御部３００が操作表示部３１に設定操作の受け付け（設定画面４００の表示）を開始させたときにスタートする。
【００７２】
図１０に示すフローチャートのステップＳ２１〜ステップＳ３０までの処理は、図８に示したステップＳ１〜ステップＳ１０までの処理と同じである。したがって、図１０に示すステップＳ２１〜ステップＳ３０までの処理の説明については、図８に示したステップＳ１〜ステップＳ１０までの処理の説明を援用するものとして省略する。ただし、図１０に示すフローチャートのステップＳ２７では、対象設定内容と同じ設定内容が第２条件を満たす設定内容（高難易度設定内容）としてパネル記憶部３２０に記憶されているか否かを判断する第２判断処理が難易度判断処理としてパネル制御部３００によって行われる。
【００７３】
ステップＳ２７において、対象設定内容と同じ設定内容が高難易度設定内容としてパネル記憶部３２０に記憶されていないとパネル制御部３００が判断した場合には、ステップＳ３１に移行する。ステップＳ３１に移行すると、パネル制御部３００は、操作表示部３１に設定操作の受け付けを開始させてから今回検知した確定操作の検知時点までに検知したリセット操作の検知回数であるリセット回数を認識する。
【００７４】
また、ステップＳ３２において、パネル制御部３００は、設定操作回数が予め定められた第２閾値以上であるか否かを判断する所定処理（第２所定処理）を行う。なお、第２閾値は第１閾値（１０回）と同じ値に設定してもよいし、第１閾値とは異なる値を第２閾値として設定してもよい。第２所定処理の結果、リセット回数が第２閾値以上であるとパネル制御部３００が判断した場合には、ステップＳ３３に移行する。
【００７５】
ステップＳ３３に移行すると、パネル制御部３００は、対象設定内容が設定難易度の高い設定内容（第２条件を満たす設定内容）であると判断する。そして、パネル制御部３００は、対象設定内容を高難易度設定内容としてパネル記憶部３２０に記憶させる記憶処理を行う。このときにパネル制御部３００が高難易度設定内容としてパネル記憶部３２０に記憶させた対象設定内容（第２条件を満たす設定内容）は、当該対象設定内容と同じ設定内容が登録設定内容として登録されるまで、パネル記憶部３２０に記憶され続ける。すなわち、ステップＳ２７において、対象設定内容と同じ設定内容が高難易度設定内容としてパネル記憶部３２０に記憶されているとパネル制御部３００が判断したということは、従前に、パネル制御部３００が対象設定内容と同じ設定内容を高難易度設定内容（第２条件を満たす設定内容）としてパネル記憶部３２０に記憶させていたということである。
【００７６】
そして、パネル制御部３００による記憶処理の後、ステップＳ３３からステップＳ２５に移行する。なお、ステップＳ３２において、リセット回数が第２閾値未満であるとパネル制御部３００が判断した場合には、ステップＳ２５に移行する。この場合には、パネル制御部３００による記憶処理は行われない。
【００７７】
ここで、図１０に示すフローチャートでは、図８に示したフローチャートと同様、パネル制御部３００が対象設定内容を高難易度設定内容としてパネル記憶部３２０に記憶させて以降、パネル制御部３００がスタート操作を検知するまでの間に確定操作を再度検知した場合に、前回の確定時点以降にパネル制御部３００が高難易度設定内容としてパネル記憶部３２０に記憶させた対象設定内容がパネル記憶部３２０から消去される。そして、パネル制御部３００は、今回の確定時点でのジョブ実行条件の設定内容を新たな対象設定内容と認識して難易度判断処理を行う（ステップＳ２７の処理を行う）。
【００７８】
なお、図１０に示すフローチャートにおいて、ステップＳ２４が省略されてもよい。この場合、パネル制御部３００は、確定操作を検知し、確定操作の操作対象となった設定項目の設定値を値設定操作で設定された設定値に変更した後、設定値がデフォルト値から変更された設定項目が２つ以上存在しているか否かにかかわらず（当該設定項目が１つ以下であっても）難易度判断処理を行う。すなわち、ステップＳ２３からステップＳ２７に移行する。
【００７９】
本実施形態では、上記のように、パネル制御部３００は、確定時点でのジョブ実行条件の設定内容（確定時点までに検知した設定操作によって設定されたジョブ実行条件の設定内容）を対象設定内容として認識し、対象設定内容と同じ設定内容が高難易度設定内容としてパネル記憶部３２０に記憶されていれば、対象設定内容を登録するよう促す報知メッセージＭＧを操作表示部３１に表示させる。これにより、ジョブ実行条件の設定時に設定難易度の高い設定を行ったユーザーに設定内容の登録を促すことができる。そして、このように、ジョブ実行条件の設定内容の登録をユーザーに促すことにより、ジョブ実行条件の設定内容の登録を行うことができる旨をユーザーに認識させることがでる。また、ジョブ実行条件の設定内容の登録を行おうとしていたユーザーが登録をし忘れるのを抑制することができる。
【００８０】
また、本実施形態では、パネル制御部３００は、対象設定内容と同じ設定内容が高難易度設定内容としてパネル記憶部３２０に記憶されていないと判断した場合、操作表示部３１に設定操作の受け付けを開始させてから確定時点までの設定操作回数を認識し、設定操作回数が第１閾値以上であれば、対象設定内容を高難易度設定内容としてパネル記憶部３２０に記憶させる。あるいは、パネル制御部３００は、対象設定内容と同じ設定内容が高難易度設定内容としてパネル記憶部３２０に記憶されていないと判断した場合、操作表示部３１に設定操作の受け付けを開始させてから確定時点までのリセット回数を認識し、リセット回数が第２閾値以上であれば、対象設定内容を高難易度設定内容としてパネル記憶部３２０に記憶させる。これにより、設定難易度の低い設定内容（少ない操作回数で設定することができた設定内容であり、簡単に再現することができる設定内容）が高難易度設定内容として記憶されることはない。したがって、ユーザーが設定したジョブ実行条件の設定内容が設定難易度の低い設定内容であるにもかかわらず、不必要に報知メッセージＭＧが表示されるのを抑制することができる。すなわち、ユーザーが設定したジョブ実行条件の設定内容が設定難易度の高い設定内容である場合にだけ、報知メッセージＭＧを表示させることができる。
【００８１】
ここで、複数の設定項目のうち設定値がデフォルト値から変更された設定項目が１つだけであるジョブ実行条件の設定内容については、登録しなくても簡単に再現することができる。そこで、本実施形態では、パネル制御部３００は、確定操作を検知したとき、設定値がデフォルト値から変更された設定項目が２つ以上存在しているか否かを判断し、設定値がデフォルト値から変更された設定項目が２つ以上存在している場合に難易度判断処理を行い、設定値がデフォルト値から変更された設定項目が２つ以上存在していない場合には難易度判断処理を行わない。これにより、ユーザーが設定したジョブ実行条件の設定内容が設定難易度の低い設定内容（登録しなくても簡単に再現することができる設定内容）であるにもかかわらず、不必要に報知メッセージＭＧが表示されるのを抑制することができる。
【００８２】
また、本実施形態では、パネル制御部３００は、報知メッセージＭＧを操作表示部３１に表示させるとき、対象設定内容を登録するか否かの受け付けを操作表示部３１に行わせる。そして、パネル制御部３００は、対象設定内容を登録する旨を操作表示部３１が受け付けると、対象設定内容を登録設定内容としてパネル記憶部３２０に記憶させる。これにより、ジョブ実行条件の設定が難しかった場合に、そのときのジョブ実行条件の設定内容を容易に登録することができるので、ユーザーの利便性がより向上する。
【００８３】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００８４】
３０  操作パネル（表示入力装置）
３１  操作表示部
１００  複合機（画像形成装置）
３００  パネル制御部（制御部）
３２０  パネル記憶部（記憶部）
【図１】
2018079662.tif 000003
【図２】
2018079662.tif 000004
【図３】
2018079662.tif 000005
【図４】
2018079662.tif 000006
【図５】
2018079662.tif 000007
【図６】
2018079662.tif 000008
【図７】
2018079662.tif 000009
【図８】
2018079662.tif 000010
【図９】
2018079662.tif 000011
【図１０】
2018079662.tif 000012